(57)【要約】      （修正有）【課題】プール不使用時にプール床を上昇させてスポーツ用等のフロアとして使用するときには、支持脚を起してプール底上にプール床を支持させ、プール使用時にプール床を降下させるときには支持脚を倒して折りたたむことができるようにしたプール床の支持装置において、支持脚を起したとき、その状態を確実に拘束できるプール床の支持装置を提供する。【解決手段】支持脚９に連結され、枢軸５にて軸着されるレバー７に突片１１を固定する。プール床１より垂下し、プール底に着床してプール床１を支持脚９を固定するときには、操作治具１３の差込溝１を突片１１に差込んで操作治具１３を取付ける。この取付け状態で操作治具１３は、ボルト２１に係止し、支持脚９の跳ね上がりを阻止する。【選択図】図２
0003150297.tif 000002
【実用新案登録請求の範囲】
【請求項１】
プールに昇降可能に設置されるプール床に枢軸にて起倒可能に軸着される支持脚を有し、プール不使用時にプール床を上昇させて上昇位置に留めるときには、支持脚を起してプール床をプール底上に支持脚により支持させ、プール使用のためプール床を降下させるときには支持脚を倒して折りたたむことができるようにしたプール床の支持装置において、前記支持脚と一体をなす突片と、支持脚を起こし、プール底に着床させてプール床を支持した状態或いは支持脚を倒し、プール床に沿わせた状態のいずれかに支持脚を切り換えたときに前記突片に着脱可能に取着される操作治具と、前記突片に取着された操作治具の枢軸の回りの旋回を阻止する回り止め手段を有することを特徴とするプール床の支持装置。
【請求項２】
回り止め手段がプール床に捩じ込まれるボルト又はネジであり、前記突片に取着された操作治具がボルト又はネジの突出端に当たることによって回り止めされることを特徴とする請求項１記載のプール床の支持装置。
【請求項３】
回り止め手段がプール床を構成する部分の一部であるか、或いはプール床より側方に突設されるフランジであり、操作治具が前記プール床の構成部分の一部或いはフランジに当たることにより回り止めされることを特徴とする請求項１記載のプール床の支持装置。
【請求項４】
回り止め手段が操作治具に一体形成される当て片であり、当て片がプール床表面に掛けられることにより操作治具が回り止めされることを特徴とする請求項１記載のプール床の支持装置。
【請求項５】
操作治具は突片端から突片に抜き差し可能に差込まれ、また操作治具に係脱可能に係止して該操作治具を突片より抜き出す操作部材を設けることを特徴とする請求項１ないし４のいずれかの請求項に記載のプール床の支持装置。
【考案の詳細な説明】
【技術分野】
【０００１】
本考案は、プールに昇降可能に設置されるプール床をプール不使用時には上昇させて上昇位置に留めた状態でプール床を支持する支持装置に関する。
【背景技術】
【０００２】
プールに昇降可能に設置されるプール床をプール不使用時にはプールサイドと同程度の高さまで上昇させて上昇位置に留め、スポーツ用等のフロアとして使用できるようにしたものは既知で、下記特許文献１及び２には、プールサイドと同程度の高さまで上昇させたプール床を上昇位置に留めて支持する支持装置として、プール床の下側に前後左右に一定間隔で起倒可能に軸着される支持脚と、各支持脚に取着される浮子とよりなり、プール床を上昇させて上昇位置に留め、スポーツ用のフロアとして使用するときには、支持脚を起してプール底上に着床させることによりプール床を支持し、プール使用時にプール床を降下させるときには、支持脚を倒して折り畳み、浮力の作用でプール床に沿わせるようにしたものが開示されている。
【先行技術文献】
【特許文献】
【０００３】
【特許文献１】特開２０００−１６０８５９号公報
【特許文献２】特開２００１−１７３２５２号公報
【考案の概要】
【考案が解決しようとする課題】
【０００４】
本考案の目的は、プールに昇降可能に設置されるプール床に起倒可能に軸支される支持脚を有し、プール不使用時にプール床を上昇させて上昇位置に留めた状態に維持したり、上昇位置に留めてスポーツ用等のフロアとして使用するとき、或いはプール床を上昇させて水抜きをし、プール底を清掃するときなどにおいては、支持脚を起してプール底上にプール床を支持させ、プール使用時にプール床を降下させるときには支持脚を倒して折りたたむことができるようにしたプール床の支持装置において、プール床をスポーツ用等のフロアとして使用するため支持脚を起したときには、起した状態に支持脚を確実に拘束できるようにするものである。
【課題を解決するための手段】
【０００５】
請求項１に係わる考案は、プールに昇降可能に設置されるプール床に枢軸にて起倒可能に軸着される支持脚を有し、プール不使用時にプール床を上昇させて上昇位置に留めるときには、支持脚を起してプール床をプール底上に支持脚により支持させ、プール使用のためプール床を降下させるときには支持脚を倒して折りたたむことができるようにしたプール床の支持装置において、前記支持脚と一体をなす突片と、支持脚を起こし、プール底に着床させてプール床を支持した状態或いは支持脚を倒し、プール床に沿わせた状態のいずれかに支持脚を切り換えたときに前記突片に着脱可能に取着される操作治具と、前記突片に取着された操作治具の枢軸の回りの旋回を阻止する回り止め手段を有することを特徴とする。
【０００６】
請求項２に係わる考案は、請求項１に係わる考案の回り止め手段がプール床に捩じ込まれるボルト又はネジであり、前記突片に取着された操作治具がボルト又はネジの突出端に当たることによって回り止めされることを特徴とし、
請求項３に係わる考案は、請求項１に係わる考案の回り止め手段がプール床を構成する部分の一部、例えばプール床を構成するフレームであるか、或いはプール床より側方に突設されるフランジであり、操作治具が前記プール床の構成部分或いはフランジに当たることにより回り止めされることを特徴とする。
【０００７】
請求項４に係わる考案は、請求項１に係わる考案の回り止め手段が操作治具に一体形成される当て片であり、当て片がプール床表面に掛けられることにより操作治具が回り止めされることを特徴とする。
【０００８】
請求項５に係わる考案は、請求項１ないし４に係わる考案において、操作治具は突片端から突片に抜き差し可能に差込まれ、また操作治具に係脱可能に係止して該操作治具を突片より抜き出す操作部材を設けることを特徴とする。
【考案の効果】
【０００９】
請求項１に係わる考案によると、プール床の支持脚はプール床を支持した状態において、操作治具が第１のストッパーに係止することにより撥ね上がる方向に旋回するのが阻止されて支持脚の動きが拘束され、このため支持脚が不用意に倒れるようなことはなく、プール床を上昇位置に確実に留めることができる。
【００１０】
請求項２に係わる考案によると、支持脚を折り畳んだ状態においては、操作治具が第２のストッパーに係止することにより支持脚が垂れ下がる方向に旋回するのが阻止され、支持脚が不用意に垂れ下がってプール床を降下させる際の支障となることがない。
請求項３に係わる考案によると、操作部材により操作治具を突片より抜き出すのが容易にできる。
【図面の簡単な説明】
【００１１】
【図１】プール床に軸着される支持脚の要部の正面図。
【図２】プール床より垂下してプール床を支持する支持脚の要部の正面図。
【図３】プール床に沿わせて折り畳んだ支持脚の要部の正面図。
【図４】折り畳んだ支持脚を起こすときの状態を示す図。
【図５】支持脚を倒すときを示す図。
【図６】支持脚を起こすときを示す図。
【図７】回り止め手段の別の例を示す図。
【考案を実施するための形態】
【００１２】
以下、本考案の実施形態のプール床支持装置について図面により説明する。
プール床１は、フレーム２と、該フレーム２上に並べて固定される中空状の床パネル３と、該床パネル上に取付けられる床材４よりなり、床パネル上には、ヒンジを構成する枢軸５が軸支され、床パネル３及び床材４間の隙間６の枢軸５にベルクランク状のレバー７が取着されて枢軸５の回りを前記隙間内で回動できるようにしてある。
【００１３】
レバー７の一端には筒部８が固着され、該筒部８には支持脚９の上端のネジ部９ａが捩じ込んで取付けられている。そして図１に示す筒部上端からドライバーやレンチ等の工具を差込み、ネジ部９ａを回動操作することにより支持脚９が筒部８より進退できるようになっている。
【００１４】
支持脚９には図示していないが、特許文献１の図６及び特許文献２の図１に示されるような浮子が取付けてあり、支持脚９を倒すときには、浮子の浮力の作用で支持脚９が倒れる方向に付勢されるようにしてある。
【００１５】
レバー７の他側には、前記隙間６に収まる細板状の突片１１がレバー７に添わせて固定され、枢軸５の周りを旋回できるようになっている。
【００１６】
操作治具１３は、図２〜図４に示すように、鋤状の形態をなして、その一側に前記突片１１に突片端から差込まれる差込溝１４を形成し、前記一側と鋭角をなして伸びる他側がアーム１５となっている。そして差込溝１４の延長上には鉤溝１６によりフック１７が形成されている。
【００１７】
図中、１９は鉤棒状の操作部材で、突片１１に差込まれる操作治具１３を突片１１より取外すときには、操作部材先端の鉤１９ａを操作治具１３の鉤溝１６に嵌合してフック１７に係止させ、図の矢印方向に引出すことにより操作治具１３を突片１１より引出す。
【００１８】
２１は、床材４に取付けた座金２２に捩じ込まれ、操作治具１３の一回転方向への回り止めを行う回り止め手段としてのボルトで、座金２２からの突出量が捩じ込みによって調整され、図２に示すように操作治具１３のアーム１５がボルト２１の突出端に当たることにより回り止めされ、レバー７が枢軸５を中心として反時計方向に旋回するのを阻止し、支持脚９がプール床１から垂下して上昇位置にあるプール床１を支持する図示する状態から跳ね上がるのを阻止できるようになっている。
【００１９】
２３は、同じく床材４に取付けた座金２４に捩じ込まれ、操作部材１３の上記と逆向きの回り止めを行う回り止め手段としてのボルトで、座金２４からの突出量が捩じ込みによって調整され、図３に示すようにアーム１５がボルト２３の突出端に当たって係止することでレバー７が時計方向に旋回するのを阻止し、支持脚９が折り畳まれた図示する格納位置から垂れ下がるのを阻止できるようになっている。
【００２０】
本実施形態においては、枢軸５、レバー７、筒体８、支持脚９、突片１１、操作治具１３、操作部材１９、ボルト２１及び２３等がプール床１の支持装置を構成している。
【００２１】
本実施形態のプール床支持装置は、以上のように構成され、支持脚９が垂下してプール床１を支持した図２に示す状態から図３に示すようにプール床１に沿うように支持脚９を倒すときには、前述するように先ず操作部材１９先端の鉤１９ａを操作治具１３のフック１７に引っ掛けて図２の矢印方向に引出し、操作治具１３を突片１１より引き出して操作治具１３を取り外す。次に図５に示すように、操作レバー２５を床パネル３及び床材４間の隙間６より挿入して操作レバー一端の差込溝２６を前記突片１１に差込み、梃子の作用で反時計の矢印方向に旋回操作して支持脚９を枢軸５の回りに図の反時計方向に倒す。
【００２２】
支持脚９は操作治具１３を用いても倒すことができる。この場合には、操作治具１３を一旦突片１１より引抜いて取り外したのち、その向きを変えて突片１１に差込み、再度取り付ける。その後、操作治具１３の例えば前記隙間６から突出するフック１７を直接手で掴むか、或いは操作部材１９の鉤１９ａを鉤溝１６に嵌合してフック１７に係止させ、その後操作部材１９を操作治具１３及びレバー７と共に反時計方向に回動操作して支持脚９を枢軸５を支点として旋回させる。反時計方向への旋回に伴い支持脚９は、浮子（図示しない）による浮力の作用も加わって図の反時計方向に旋回して倒れ、プール床１に添うようにして格納される。
【００２３】
プール床１に沿わせて格納したのちは操作治具１３を突片１１に差込溝１４を差し込むことにより取り付ける（図３）。アーム１５がボルト２３端に当たることにより回り止めされ、支持脚９がプール床に沿った格納状態に固定される。
【００２４】
前記と逆に支持脚９をプール床１に沿わせて折り畳み格納した図３の状態から、図２に示すように、支持脚９を起してプール床１を図示しないプール底上方の上昇位置に留めて支持するときには、図６に示すように操作治具１３を突片１１より引出して取外したのち、操作レバー２５の差込溝２６を突片１１に差込んで操作レバー２５を突片１１に連結する。ついで操作レバー２５を図６の矢印方向に時計方向に旋回操作して支持脚９を図示しない浮子の浮力の作用に抗して起す。支持脚９を起こす場合も前記と同様、図４に示すように操作治具１３の向きを変え、突片１１に向きを変えて取り付けたのち、例えばフック１７を掴むか、或いは図示するように操作部材１３の鉤１９ａをフック１７に係止させ、操作部材１９を操作治具１３及びレバー１７と共に枢軸５を支点として回動操作することにより支持脚９を起こすこともできる。
【００２５】
支持脚９はプール床より垂下した状態で支持脚下端がプール底に当たるか、プール底に僅かな隙間を存しており、この状態で筒部上端から工具を差込んでネジ部９ａを回動操作し、支持脚９を押出してプール床に押付け固定する。なお、操作部材１９を用いて支持脚９を起倒させる場合、操作部材１９は支持脚９の固定に前後して取外される。
支持脚９をプール底に着床させる前後において操作治具１３が突片１１に差込溝１４を差し込んで取り付けられる（図２）。  
【００２６】
前記実施形態では、操作部材１３の回り止め手段としてボルト２１、２３を用いた例を示したが、床材４から隙間６内に側方に突出する突出部、例えばフランジを形成し、該フランジ或いはまたプール床１を構成する部分、例えば図示するフレーム２上端のフランジ２ａに対し、突片１１に差込んで取付けた操作部材１３のアーム１５が係止することにより操作部材１３を回り止めさせるようにすることもできる。したがってこの場合、プール床の構成部分の一部或いはフランジが操作部材１３の回り止め手段を構成するものとなる。
【００２７】
図７は、回り止め手段の別の例を示すもので、該回り止め手段は、突片１１への差込溝２８を備え、前記操作治具２９と同様の機能を果たす操作治具２９に一体形成され、前記隙間６より幅広の当て片３０よりなっている。
【００２８】
本実施形態による場合、支持脚９を起こしたときの固定は、支持脚９を起こしたのち操作治具２９を前記隙間６に矢印方向より挿入して差込溝２８を突片１１に当て片３０が床材４のエッジに当たるまで差込む。当て片３０が床材４に当たることにより支持脚９が回り止めされ固定される。
【符号の説明】
【００２９】
１・・プール床
２・・フレーム
３・・床パネル
４・・床材
５・・枢軸
６・・隙間
７・・レバー
８・・筒部
９・・支持脚
１１、２９・・操作治具
１４、１６、２８・・差込溝
１５・・アーム
１６・・鉤溝
１７・・フック
１９・・操作部材
２１、２３・・ボルト
２５・・操作レバー
３０・・当て片
【図１】
0003150297.tif 000003
【図２】
0003150297.tif 000004
【図３】
0003150297.tif 000005
【図４】
0003150297.tif 000006
【図５】
0003150297.tif 000007
【図６】
0003150297.tif 000008
【図７】
0003150297.tif 000009